(57)【要約】【課題】ロール紙の切断部の切り残しによる搬送ジャムの発生を防止することのできる単票発行装置を提供する。【解決手段】交換後のロール紙１ａの先端部を手切り切断する手段として、ロール紙１ａの幅方向の端辺と斜めに交叉する刃２７ｄ，２７ｅを形成する切り欠き２７ｂ，２７ｃを有する手切りカッター２７を用いることで、ロール紙１ａの幅方向両端部を本来の切断位置よりも奥に深く斜めに切断でき、ロール紙１ａの切断部に搬送ジャムの原因となる細い幅の切り残しが発生するのを防止することができる。【選択図】図２
2006076166.tif 000002
【特許請求の範囲】
【請求項１】
ロール紙の巻体を保持する保持部と、
前記保持部に保持された前記巻体から引き出された前記ロール紙を搬送する搬送手段と、
前記ロール紙の搬送に伴って該ロール紙に印字を行う印字手段と、
前記印字手段による印字位置の下流で前記ロール紙を裁断して単票とする裁断手段と、
前記保持部に保持された前記巻体から引き出された前記ロール紙を拘束し、この拘束された前記ロール紙の幅方向の少なくとも一方の端辺に対して斜めに交叉する刃を形成する切り欠きを有する手切り切断用のカッターを含む手切り切断手段と
を具備することを特徴とする単票発行装置。
【請求項２】
前記切り欠きが、前記カッターの、前記ロール紙の幅方向の両側の端辺にそれぞれ対応する各位置に設けられていることを特徴とする請求項１に記載の単票発行装置。
【請求項３】
前記切り欠きが、前記カッターの、前記ロール紙の幅方向のいずれか一方の端辺に対応する位置に設けられていることを特徴とする請求項１に記載の単票発行装置。
【請求項４】
前記手切り切断手段が、前記印字手段による印字位置の下流において、前記裁断手段に向かう経路に対して分岐された経路上に配置され、
外部からの指令に基づいて、前記手切り切断手段によって拘束されたロール紙を、前記巻体からの引き出し方向の逆方向に搬送してから引き出し方向に搬送し、前記裁断手段に向かう経路に移動させるように前記搬送手段を制御する制御手段をさらに具備することを特徴とする請求項１ないし３のいずれか１項に記載の単票発行装置。
【発明の詳細な説明】
【技術分野】
【０００１】
本発明は、ロール紙を印字媒体として用いて、領収書などの単票を発行する単票発行装置に関する。
【背景技術】
【０００２】
高速道路などの有料道路向け料金収受システムでは、料金所の入口または出口で、料金の支払いが行われたときに、単票発行装置から利用者に領収書（単票）を発行している。  この単票発行装置では、印字の記録媒体にロール紙が利用されており、このロール紙を領収書の発行回ごとに印字部を通過させるように搬送し、裁断して領収書を発行している。
【０００３】
単票発行装置は、たとえば感熱式の印字媒体であるロール紙の巻体を本体にセットし、このセットされた巻体からロール紙を定量引き出してサーマルヘッドにより印字し、レシートなどの単票として発行する。この種の印刷装置に関する公知技術には、たとえば特許文献１などがある。
【０００４】
このような単票発行装置では、ロール紙を初期装填する際、ロール紙の先端に、切り残しなどの不揃い部分があると、搬送路途中でロール紙の先端が引っ掛かり搬送ジャムが発生するおそれがあった。このため、ロール紙の先端部をカッターやはさみで切断して、でっぱりなどのないようにする必要があった。しかし、この場合、カッターやはさみといった工具を準備することが面倒であった。そこで、単票発行装置本体に手切り切断用の刃を取り付けておけば、工具をいちいち準備するといった煩わしさから解放される。
【特許文献１】特開平６−３３６０６０号公報
【発明の開示】
【発明が解決しようとする課題】
【０００５】
しかしながら、手切り切断用の刃を使った場合、たとえば図４に示すように、手切り切断の末端箇所で、ひっぱり力の集中によってロール紙がちぎれ、ロール紙の先端に細長い切り残しが発生しやすい。この切り残しが搬送ジャムの原因となり得る。
【０００６】
本発明は、このような課題を解決するためのものであり、ロール紙の切断部の切り残しによる搬送ジャムの発生を防止することのできる単票発行装置を提供しようとするものである。
【課題を解決するための手段】
【０００７】
上記の課題を解決するために、この発明の単票発行装置は、ロール紙の巻体を保持する保持部と、保持部に保持された前記巻体から引き出されたロール紙を搬送する搬送手段と、ロール紙の搬送に伴って該ロール紙に印字を行う印字手段と、印字手段による印字位置の下流でロール紙を裁断して単票とする裁断手段と、保持部に保持された巻体から引き出されたロール紙を拘束し、この拘束されたロール紙の幅方向の少なくとも一方の端辺に対して斜めに交叉する刃を形成する切り欠きを有する手切り切断用のカッターを含む手切り切断手段とを具備する。
【０００８】
前記の切り欠きは、カッターの、ロール紙の幅方向の両側の端辺にそれぞれ対応する各位置に設けられている。また、切り欠きは、カッターの、ロール紙の幅方向のいずれか一方の端辺に対応する位置に設けられたものであっても構わない。いずれにせよ、切り欠きによって形成された、ロール紙の端辺に対して斜めに交叉する刃によって、ロール紙の幅方向の末端を切断するようにすることで、ロール紙の切断部に切り残しが発生することを防止できる。
【０００９】
また、本発明の単票発行装置は、手切り切断手段が、印字手段による印字位置の下流において、前記裁断手段に向かう経路に対して分岐された経路上に配置され、外部からの指令に基づいて、手切り切断手段によって拘束されたロール紙を、巻体からの引き出し方向の逆方向に搬送してから引き出し方向に搬送し、裁断手段に向かう経路に移動させるように搬送手段を制御する制御手段をさらに有するものとしてもよい。
【００１０】
これにより、手切り切断を終えた後も手切り切断手段に拘束されたロール紙を、裁断手段に向かう実運用時の搬送経路に自動的に移動させることができ、ユーザの負担を軽減することができる。
【発明の効果】
【００１１】
本発明の単票発行装置によれば、ロール紙の切断部の切り残しを防止して、搬送ジャムの発生を防止することができる。
【発明を実施するための最良の形態】
【００１２】
以下、本発明の実施の形態を図面に基づき説明する。  
図１は本発明の一実施形態にかかる単票発行装置の機械的な構成を示す側面断面図である。  
同図に示すように、この単票発行装置１００の本体１０の内部には、たとえば感熱式の印字媒体であるロール紙１ａの巻体１が着脱自在に保持される保持部２が設けられている。単票発行装置１００は、その保持部２に保持された巻体１から引き出されたロール紙１ａをプラテンローラ３との間で挟持しつつ搬送して当該ロール紙１ａへの印字を行うサーマルヘッド５と、このサーマルヘッド５のヘッド面にロール紙１ａを押し付けるためのプラテンローラ３と、このプラテンローラ３を駆動するプラテン駆動モータ７と、サーマルヘッド５により印字処理が行われる位置から単票発行口９までのロール紙１ａの搬送をガイドする前部搬送ガイド１１および後部搬送ガイド１３と、前部搬送ガイド１１と後部搬送ガイド１３との間に配置され、ロール紙１ａを自動で裁断して単票を作成するオートカッター１５とを備える。さらに、この単票発行装置１００は、巻体交換後のロール紙１ａの初期装填に先立ち、ロール紙１ａの先端部を手切り切断するための手切り切断手段１７が設けられている。
【００１３】
この単票発行装置１００は、図１に示すように、上位装置の本体２００に着脱自在に搭載される。すなわち、単票発行装置１００はその下部に設けられたレール１９を通じて上位装置の本体２００に設けられた単票発行装置収容部２１にスライド式に出し入れ可能とされている。単票発行装置収容部２１には、単票発行装置１００の装填が完了したことを検知するための、たとえば押しボタン式などのスイッチ２３が設けられており、このスイッチ２３の状態は上位装置の制御部３９にて監視される。
【００１４】
次に、手切り切断手段１７の詳細を説明する。  
図２は手切り切断手段１７の斜視図である。同図に示すように、この手切り切断手段１７は、手切りカット台２５と手切りカッター２７とで構成される。手切りカット台２５と手切りカッター２７とは互いに一部の面どうしを密接させて組み合わされる。巻体１から引き出されたロール紙１ａは、これら手切りカット台２５と手切りカッター２７との間に挟持され、拘束される。これによりユーザは、これら手切りカット台２５と手切りカッター２７との間から下流側に延び出たロール紙１ａの先端部分１ｂを指で摘んで、手切りカッター２７の刃２７ａに沿ってロール紙１ａを切断する作業（手切り切断）を行うことができる。
【００１５】
また、この手切り切断手段１７の手切りカッター２７の、ロール紙１ａの幅方向の両側端辺にそれぞれ対応する位置には切り欠き２７ｂ，２７ｃが設けられている。この切り欠き２７ｂ，２７ｃはそれぞれ、ロール紙１ａの幅方向の端辺に対して斜めに交叉する刃２７ｄ，２７ｅを形成する。これらの刃２７ｄ，２７ｅは、ロール紙１ａの初期装填に先立って、ロール紙１ａの幅方向両端部を本来の切断位置よりも深く斜めに切断することで、ロール紙先端部での切り残しの発生を防止するように働く。
【００１６】
図３は、この手切り切断手段１７を用いて切断されたロール紙１ａの先端部を示している。このように、ロール紙１ａの先端部の幅方向両端２９，３１は本来の切断位置よりも深くテーパ状に切断され、図４に示したような細かな幅の切り残し３３が発生しなくなる。
【００１７】
ところで、手切り切断手段１７の手切りカッター２７としては、ロール紙１ａの幅方向両側の端辺にそれぞれ対応するように切り欠き２７ｂ，２７ｃを設けたものの他に、図５および図６に示すように、ロール紙１ａの幅方向のいずれか一方の端辺に対応するように、１つの切り欠き２７ｂあるいは切り欠き２７ｃを設けたものであってもかまわない。いずれにせよ、切り欠き２７ｂ，２７ｃによって形成された、ロール紙１ａの端辺に対して斜めに交叉する刃の働きによって、ロール紙１ａの幅方向の末端を切断することで、ロール紙１ａの切断部に切り残しが発生することを防止できる。
【００１８】
次に、この単票発行装置１００の電気的な構成を説明する。  
図７は、本実施形態の単票発行装置１００の電気的な構成を示すブロック図である。
【００１９】
制御部３５は、この単票発行装置１００の全体を制御するＣＰＵ（Central Processing Unit)と、ＣＰＵにより実行させるファームウェアなどが格納されたＲＯＭ（Read Only Memory）、ＣＰＵの作業エリアとして用いられるＲＡＭ（Random Access Memory）などで構成される。制御部３５は、Ｉ／Ｆ部３７を通じて、上位装置の制御部３９と通信を行う。
【００２０】
また、制御部３５は、モータ駆動回路４１を通じてプラテン駆動モータ７の動作を制御したり、ソレノイド駆動回路４３を介してオートカッター１５を動作させるカッターソレノイド４５の駆動を制御する。さらに、制御部３５は、印字ヘッド駆動回路４７を介してサーマルヘッド５を制御する。
【００２１】
次に、この単票発行装置１００におけるロール紙１ａの初期装填時の動作を説明する。
図８は、このロール紙１ａの初期装填時の動作の流れを示すフローチャートである。
【００２２】
まず、図９に示すように、上位装置の単票発行装置収容部２１から単票発行装置１００を引き出した後(ステップ８０１)、単票発行装置１００の本体１０において、軸４９を中心に回転自在に設けられた可動カバー５１を開き(ステップ８０２)、新しいロール紙１ａの巻体１を保持部２にセットする。可動カバー５１には、サーマルヘッド５、手切りカッター２７などが取り付けられているので、可動カバー５１を開くことによって、サーマルヘッド５がプラテンローラ３から離れるとともに、手切りカッター２７が手切りカット台２５から離れる。このため巻体１から引き出したロール紙１ａを、それらの間に手作業で簡単にセットすることができる（ステップ８０３）。
【００２３】
この後、図１０に示すように、可動カバー５１を閉じる(ステップ８０４)。これによりロール紙１ａはサーマルヘッド５とプラテンローラ３との間に挟持されるとともに、ロール紙１ａの先端部が手切りカット台２５と手切りカッター２７との間に挟持されて拘束された状態となる。この状態で、ユーザは、上で記述したように、ロール紙１ａの先端部の手切り切断を行う(ステップ８０５)。
【００２４】
この後、図１１に示すように、単票発行装置１００を、上位装置の単票発行装置収容部２１に押し込んで装填する(ステップ８０６)。図１２に示すように、単票発行装置１００が上位装置の単票発行装置収容部２１内にいっぱいまで装填されたところで、スイッチ２３が単票発行装置１００の本体１０のリア側の壁で押されることによって、上位装置の制御部３９はスイッチ２３の検出信号に基づいて単票発行装置１００の装填完了を検知する。上位装置の制御部３９は単票発行装置１００の装填完了を検知すると、単票発行装置１００の制御部３５に対してロール紙装填の初期化命令を送る。
【００２５】
単票発行装置１００の制御部３５は、Ｉ／Ｆ部３７を通じて上位装置の制御部３９からの当該初期化命令を受信すると(ステップ８０７)、図１３に示すように、プラテン駆動モータ７を、巻体１からのロール紙１ａの引き出し方向とは逆のＡ方向に一定量回転させる(ステップ８０８)。これによりロール紙１ａは、図１４に示すように、その先端が手切りカット台２５と手切りカッター２７との間で拘束されていた位置から、サーマルヘッド５による印字位置の下流直後の位置まで戻る。
【００２６】
その後、単票発行装置１００の制御部３５は、プラテン駆動モータ７を一旦停止させ(ステップ８０９)、続いてプラテン駆動モータ７を巻体１からのロール紙１ａの引き出し方向であるＢ方向に一定量回転させる(ステップ８１０)。これにより、ロール紙１ａの先端は後部搬送ガイド１３の入口に捕捉され、後部搬送ガイド１３および前部搬送ガイド１１に導かれて単票発行口９へ向けて搬送される。
【００２７】
このとき、ロール紙１ａへのサーマルヘッド５によるテスト印字が実行され(ステップ８１１)、テスト印字が終了し、図１５に示すように、ロール紙１ａの先端部が指で掴める程度にまで単票発行口９より吐き出されたところで、プラテン駆動モータ７の回転が停止する。この後、単票発行装置１００の制御部３５は、ソレノイド駆動回路４３を介してカッターソレノイド４５を駆動することで、図１６に示すように、オートカッター１５によるロール紙１ａの裁断を行う(ステップ８１２)。これにより、テスト印字が施された単票が単票発行口９から取り出される。以後は、単票発行装置１００を上位装置において実際に運用することができる。
【００２８】
以上のように本実施形態の単票発行装置１００によれば、交換後のロール紙１ａの先端部を手切り切断する手段として、ロール紙１ａの幅方向の端辺と斜めに交叉する刃２７ｄ，２７ｅを形成する切り欠き２７ｂ，２７ｃを有する手切りカッター２７を用いたことで、ロール紙１ａの幅方向両端部を本来の切断位置よりも奥に深く斜めに切断でき、ロール紙１ａの切断部に搬送ジャムの原因となる細い幅の切り残しが発生するのを防止することができる。
【００２９】
さらに、この実施形態の単票発行装置１００では、ロール紙１ａの手切り切断完了後、単票発行装置１００を上位装置の単票発行装置収容部２１に押し込んで装填するだけで、手切り切断のために手切りカット台２５と手切りカッター２７との間に拘束されていたロール紙１ａを、単票発行口９へ向かう実運用時の搬送経路に自動的に移動させることができ、ユーザの負担を軽減することができる。
【００３０】
なお、本発明は、上述の実施形態にのみ限定されるものではなく、本発明の要旨を逸脱しない範囲内において種々変更を加え得ることは勿論である。
【図面の簡単な説明】
【００３１】
【図１】本発明の一実施形態にかかる単票発行装置の機械的な構成を示す側面断面図である。
【図２】図１の手切り切断手段の斜視図である。
【図３】図１の手切り切断手段を用いて切断されたロール紙先端部を示す斜視図である。
【図４】ロール紙の切断部の切り残しの例を示す斜視図である。
【図５】手切りカッターの他の例を示す斜視図である。
【図６】手切りカッターのさらに他の例を示す斜視図である。
【図７】図１の単票発行装置の電気的な構成を示すブロック図である。
【図８】図１の単票発行装置におけるロール紙初期装填時の動作の流れを示すフローチャートである。
【図９】単票発行装置の可動カバーを開いた時の状態を示す図である。
【図１０】ロール紙の手切り切断時の状態を示す図である。
【図１１】単票発行装置を上位装置に装填する時の状態を示す図である。
【図１２】単票発行装置の上位装置への装填完了状態を示す図である。
【図１３】手切り切断手段によって拘束されたロール紙を引き出し方向の逆方向に搬送する時の状態を示す図である。
【図１４】ロール紙の先端がサーマルヘッドによる印字位置の下流直後の位置まで戻った時の状態を示す図である。
【図１５】ロール紙の先端部が単票発行口より吐き出された時の状態を示す図である。
【図１６】ロール紙のオートカットの状態を示す図である。
【符号の説明】
【００３２】
１…巻体、１ａ…ロール紙、２…保持部、３…プラテンローラ、５…サーマルヘッド、７…プラテン駆動モータ、９…単票発行口、１０…本体、１１…前部搬送ガイド、１３…後部搬送ガイド、１５…オートカッター、１７…手切り切断手段、２５…手切りカット台、２７…手切りカッター、２７ｂ，２７ｃ…切り欠き、２７ｄ，２７ｅ…刃、３５…制御部、３７…Ｉ／Ｆ部、４１…モータ駆動回路、４３…ソレノイド駆動回路、４５…カッターソレノイド、４７…印字ヘッド駆動回路、１００…単票発行装置。
【図１】
2006076166.tif 000003
【図２】
2006076166.tif 000004
【図３】
2006076166.tif 000005
【図４】
2006076166.tif 000006
【図５】
2006076166.tif 000007
【図６】
2006076166.tif 000008
【図７】
2006076166.tif 000009
【図８】
2006076166.tif 000010
【図９】
2006076166.tif 000011
【図１０】
2006076166.tif 000012
【図１１】
2006076166.tif 000013
【図１２】
2006076166.tif 000014
【図１３】
2006076166.tif 000015
【図１４】
2006076166.tif 000016
【図１５】
2006076166.tif 000017
【図１６】
2006076166.tif 000018